(57)【要約】【課題】この発明は、接続されている外部機器からの制御信号に基づいて、外部機器の接続環境に対応した有効な対応を行なうことができ、ユーザにとっての取り扱いを便利にし得るようにしたデジタル機器制御装置及びデジタル機器制御方法を提供することを目的としている。【解決手段】記録媒体（１２）の再生中にその再生停止を指示する機器制御信号が発生されたとき、記録媒体（１２）の再生が停止された位置を示す位置情報を記憶させる位置情報処理手段（２３ａ）と、記録媒体（１２）の再生開始を指示する機器制御信号が発生されたとき、記録媒体（１２）の再生が停止された位置を示す位置情報が記憶されているときは、位置情報に基づいて記録媒体（１２）の再生を開始させる再生開始制御手段（２３ｂ）とを備える。【選択図】    図５
2008077812.tif 000002
【特許請求の範囲】
【請求項１】
記録媒体から読み取られた信号に再生処理を施す処理手段と、
外部機器を接続可能とする接続手段と、
前記接続手段に接続された外部機器との相互認証を行なう認証手段と、
前記認証手段で相互認証のとれた外部機器との間で機器制御信号による相互制御を可能とする機器制御手段と、
前記記録媒体の再生中に前記機器制御手段により前記記録媒体の再生停止を指示する機器制御信号が発生されたとき、前記記録媒体の再生が停止された位置を示す位置情報を記憶させる位置情報処理手段と、
前記機器制御手段により前記記録媒体の再生開始を指示する機器制御信号が発生されたとき、前記位置情報処理手段により前記記録媒体の再生が停止された位置を示す位置情報が記憶されているときは、前記位置情報に基づいて前記記録媒体の再生を開始させる再生開始制御手段とを具備することを特徴とするデジタル機器制御装置。
【請求項２】
前記接続手段は、ＨＤＭＩ規格に準拠した形態で前記外部機器との相互接続を図り、前記機器制御手段は、前記ＨＤＭＩ規格におけるＣＥＣラインを介して前記機器制御信号の伝送を行なうことを特徴とする請求項１記載のデジタル機器制御装置。
【請求項３】
前記外部機器は、映像表示装置であることを特徴とする請求項１記載のデジタル機器制御装置。
【請求項４】
前記外部機器は、前記記録媒体の再生情報を前記接続手段に供給する情報再生装置であることを特徴とする請求項１記載のデジタル機器制御装置。
【請求項５】
前記位置情報処理手段は、前記位置情報を前記接続手段に接続されている外部機器である情報再生装置に記憶させることを特徴とする請求項１記載のデジタル機器制御装置。
【請求項６】
前記外部機器は、情報の記録再生を行なう装置であり、
前記外部機器が情報を再生している状態で、前記機器制御手段から再生停止を指示する機器制御信号が発生されたときは、その再生停止位置から前記外部機器に情報の自動記録を行なわせ、
前記機器制御手段から再生再開を指示する機器制御信号が発生されたときは、前記自動記録を開始した先頭から再生を行なわせるように、前記再生開始制御手段が制御することを特徴とする請求項１記載のデジタル機器制御装置。
【請求項７】
前記外部機器は、前記先頭からの再生が開始された後も、記録を継続することを特徴とする請求項６記載のデジタル機器制御装置。
【請求項８】
前記外部機器が前記記録を継続しているときも記録箇所を追いかけ再生する追っかけ再生処理手段を備えることを特徴とする請求項７記載のデジタル機器制御装置。
【請求項９】
記録媒体から読み取られた信号に再生処理を施す工程と、
接続手段に接続された外部機器との相互認証を行なう工程と、
相互認証のとれた外部機器との間で機器制御信号による相互制御を行なう工程と、
前記記録媒体の再生中に前記記録媒体の再生停止を指示する機器制御信号が発生されたとき、前記記録媒体の再生が停止された位置を示す位置情報を記憶させる工程と、
前記記録媒体の再生開始を指示する機器制御信号が発生されたとき、前記記録媒体の再生が停止された位置を示す位置情報が記憶されているときは、前記位置情報に基づいて前記記録媒体の再生を開始させる工程とを具備することを特徴とするデジタル機器制御方法。
【請求項１０】
前記外部機器は、情報の記録再生を行なう装置であり、
前記外部機器が情報を再生している状態で、再生停止を指示する機器制御信号が発生されたときは、その再生停止位置から前記外部機器に情報の自動記録を行なわせる工程と、
再生再開を指示する機器制御信号が発生されたときは、前記自動記録を開始した先頭から再生を行なわせる工程とを具備することを特徴とする請求項９記載のデジタル機器制御方法。
【請求項１１】
前記外部機器が前記先頭からの再生が開始された後も、記録を継続させることを特徴とする請求項１０記載のデジタル機器制御方法。
【請求項１２】
前記外部機器が前記記録を継続しているときも記録箇所を追いかけ再生するように制御することを特徴とする請求項１１記載のデジタル機器制御方法。
【発明の詳細な説明】
【技術分野】
【０００１】
この発明は、環境対応型のデジタル機器制御装置及びデジタル機器制御方法に係り、特に映像や音声等のデジタル信号を外部接続された他の受信機器または表示機器に選択的に出力する信号出力装置及び信号出力方法に関する。
【背景技術】
【０００２】
周知のように、デジタル映像信号を伝送するための規格として、ＤＶＩ（digital visual interface）規格が普及している。近年では、このＤＶＩ規格をさらに改良したデジタル信号伝送規格として、ＨＤＭＩ（high definition multimedia interface）規格が採用されるようになってきている。
【０００３】
ＨＤＭＩ規格には、例えば、デジタル映像信号のブランキング期間にデジタル音声信号を多重化して音声伝送を行なうことが可能であること、デジタル映像信号をＲＧＢ信号の形態で伝送する他に、ＹＣｂＣｒ信号の形態またはそれより高画質なＹＰｂＰｒ信号の形態で伝送することが可能であること、ＵＳＢ（universal serial bus）ライクの小型のＨＤＭＩコネクタで伝送することが可能であること等々、ＤＶＩ規格にない種々の規定が盛り込まれている。
【０００４】
また、ＨＤＭＩ規格では、信号の伝送に先立ち、送信側の機器と受信側の機器との間で認証を行なうことにより、送信側の機器が受信側の機器の性能に合わせた形態で信号を出力することができる。すなわち、送信側の機器は、受信側の機器からＥＤＩＤ（extended display identification）データを取得することにより、受信側機器の受信仕様を認識し、それに合わせた形態で信号を出力している。
【０００５】
ところで、最近では、１つのデジタル機器に複数の外部機器（例えば記録再生装置、再生装置、表示装置等）を接続することが通常となっている。また、これに伴なって、新しい外部機器を追加したり、接続されている外部機器を変更したり取り外したりすることがよく行なわれるようになっている。
【０００６】
このような環境の中で、ＨＤＭＩ規格に準拠したデジタル信号の伝送方式としては、さらに充実した機能が要求されるようになってきている。特に、外部機器の接続、切断、選択、新しい機器の追加接続、接続切り替え等が行なわれた場合について、その有効な対応が強く要望されている。
【０００７】
特許文献１には、記録媒体に記録された複数の番組から１つを選択して再生する際、番組の選択が変更された場合に、選択されなくなった番組の再生中断位置を格納しておき、選択が再開される番組についてその再生中断位置を読み出し、再生中断された位置から再生を行なうようにすることが開示されている。
【特許文献１】特開２００５−３０３９２０号公報
【発明の開示】
【発明が解決しようとする課題】
【０００８】
そこで、この発明は上記事情を考慮してなされたもので、接続されている外部機器からの制御信号に基づいて、外部機器の接続環境に対応した有効な対応を行なうことができ、ユーザにとっての取り扱いを便利にし得るようにしたデジタル機器制御装置及びデジタル機器制御方法を提供することを目的とする。
【課題を解決するための手段】
【０００９】
この発明に係るデジタル機器制御装置は、記録媒体から読み取られた信号に再生処理を施す処理手段と、外部機器を接続可能とする接続手段と、接続手段に接続された外部機器との相互認証を行なう認証手段と、認証手段で相互認証のとれた外部機器との間で機器制御信号による相互制御を可能とする機器制御手段と、記録媒体の再生中に機器制御手段により記録媒体の再生停止を指示する機器制御信号が発生されたとき、記録媒体の再生が停止された位置を示す位置情報を記憶させる位置情報処理手段と、機器制御手段により記録媒体の再生開始を指示する機器制御信号が発生されたとき、位置情報処理手段により記録媒体の再生が停止された位置を示す位置情報が記憶されているときは、位置情報に基づいて記録媒体の再生を開始させる再生開始制御手段とを備えるようにしたものである。
【００１０】
また、この発明に係るデジタル機器制御方法は、記録媒体から読み取られた信号に再生処理を施す工程と、接続手段に接続された外部機器との相互認証を行なう工程と、相互認証のとれた外部機器との間で機器制御信号による相互制御を行なう工程と、記録媒体の再生中に記録媒体の再生停止を指示する機器制御信号が発生されたとき、記録媒体の再生が停止された位置を示す位置情報を記憶させる工程と、記録媒体の再生開始を指示する機器制御信号が発生されたとき、記録媒体の再生が停止された位置を示す位置情報が記憶されているときは、位置情報に基づいて記録媒体の再生を開始させる工程とを備えるようにしたものである。
【発明の効果】
【００１１】
上記した発明によれば、記録媒体の再生中に記録媒体の再生停止を指示する機器制御信号が発生されたとき、記録媒体の再生が停止された位置を示す位置情報を記憶させ、記録媒体の再生開始を指示する機器制御信号が発生されたとき、記録媒体の再生が停止された位置を示す位置情報が記憶されているときは、位置情報に基づいて記録媒体の再生を開始させるようにしたので、接続されている外部機器からの制御信号に基づいて、外部機器の接続環境に対応した有効な対応を行なうことができ、ユーザにとっての取り扱いを便利にすることができる。
【発明を実施するための最良の形態】
【００１２】
以下、この発明の実施の形態について図面を参照して詳細に説明する。図１において、１００は、例えば記録再生装置であり、ハードディスクまたは光ディスクに対する記録再生用のドライブ部１００Ａを有する。なお、ハードディスクと光ディスクとの両方に対して記録再生を行なうドライブ部を備えても良い。
【００１３】
この記録再生装置１００は、複数（図示の場合は２つ）の接続部１０１，１０２を有している。このうち、接続部１０１には、外部機器として、例えば、標準映像信号を表示可能なテレビジョン受信装置２００Ａが接続されている。また、他方の接続部１０２には、インターネット等のネットワークを介してサーバ３００が接続されている。
【００１４】
図２は、上記接続部１０１に対して、高品位映像信号を表示可能なテレビジョン受信装置２００Ｂを接続することも可能であることを示している。他の部分は、図１の構成と同じであるから、同一符号を付している。そして、上記記録再生装置１００とテレビジョン受信装置２００Ａまたは２００Ｂとの接続に関しては、ＨＤＭＩ規格が適用されている。
【００１５】
図３は、記録再生装置１００とテレビジョン受信装置２００Ａまたは２００ＢとをＨＤＭＩ規格に準拠して接続するためのＨＤＭＩケーブル４００の外観を示している。このＨＤＭＩケーブル４００の先端部に設けられたコネクタ４０１には、標準タイプで１９個のピンが配列されている。
【００１６】
図４は、ＨＤＭＩコネクタ４０１の各ピンと、そのピンで取り扱う信号及び機能等を示している。これら１９個のピンのうち、ピン１３が、ＣＥＣ（consumer electronics control）と称され、ＨＤＭＩで規格化されている制御プロトコルに基づいた機器制御信号の伝送を司るラインを構成している。
【００１７】
すなわち、記録再生装置１００からテレビジョン受信装置２００Ａまたは２００Ｂに、ＣＥＣラインを介して機器制御信号を送信することにより、記録再生装置１００からテレビジョン受信装置２００Ａまたは２００Ｂを所定の動作状態または停止状態に制御することが可能である。また、その逆の制御も可能となる。
【００１８】
図５は、上記記録再生装置１００の信号処理系を示している。この記録再生装置１００は、例えばＤＶＤ（digital versatile disk）等の光ディスク１２がディスクドライブ部１６（図１の１００Ａに対応する）に装着され、再生が要求されることにより、その記録データの読み取りが行なわれる。
【００１９】
ディスクドライブ部１６で読み取られたデータは、デコーダ部１７及び信号処理部１８に供給されることにより、デジタル化処理、エラー訂正処理及び復号化処理等が順次施されて、デジタルの映像信号に復元される。
【００２０】
復元されたデジタルの映像信号は、ＯＳＤ（on screen display）信号付加部１９に供給されてＯＳＤ信号が付加された後、ＨＤＭＩ送受信部２０に供給されてＨＤＭＩ規格に準拠した形態に変換され、出力端子２１ａ，２１ｂを介して、受信側の機器（この場合、テレビジョン受信装置２００Ａまたは２００Ｂ）に導出される。
【００２１】
また、このＨＤＭＩ送受信部２０は、入出力端子２２を介して、受信側の機器（テレビジョン受信装置２００Ａまたは２００Ｂ）とコミュニケーションを行なうことができる。例えば、受信側の機器に対してＥＤＩＤデータの取得を要求し、受信側の機器から出力されたＥＤＩＤデータを取得することができる．
さらに、このＨＤＭＩ送受信部２０は、ＣＥＣ用の入出力端子３０を介して、受信側の機器（テレビジョン受信装置２００Ａまたは２００Ｂ）に機器制御信号を出力し、受信側の機器を制御することができる。また、逆に、受信側の機器から機器制御信号を受けて、自己を制御することができる。
【００２２】
この記録再生装置１００は、上記した再生動作を含むその全ての動作を制御部２３によって統括的に制御されている。この制御部２３は、ＣＰＵ（central processing unit）等を内蔵しており、操作部２４からの操作情報、または、リモートコントローラ２５の送信信号を受信する受信部２６からの操作情報を受信し、その操作内容が反映されるように各部をそれぞれ制御している。
【００２３】
この場合、制御部２３は、メモリ部２７を利用している。このメモリ部２７は、主として、ＣＰＵが実行する制御プログラムを格納したＲＯＭ（read only memory）と、該ＣＰＵに作業エリアを提供するＲＡＭ（random access memory）と、各種の設定情報及び制御情報等が格納される不揮発性メモリとを有している。
【００２４】
上記制御部２３は、インターフェース部２８及び接続端子２９を介して、ネットワーク１４に接続されたサーバ３００にアクセス要求し、このサーバ３００から所望の映像信号を取得することができる。
【００２５】
このサーバ３００から取得した映像信号は、信号処理部１８に供給されて所定の信号処理が施され、ＯＳＤ信号付加部１９でＯＳＤ信号が付加された後、ＨＤＭＩ送受信部２０によりＨＤＭＩ規格に準拠した形態に変換され、出力端子２１ａ，２１ｂを介して、受信側の機器に導出される。
【００２６】
ここで、上記制御部２３は、ＨＤＭＩ送受信部２０で取得したＥＤＩＤデータに基づいてテレビジョン受信装置２００Ａ，２００Ｂの受信仕様を認識し、その受信仕様に対応した形態の映像信号を、光ディスク１２またはサーバ３００から検索して、テレビジョン受信装置２００Ａ，２００Ｂに出力することもできる。
【００２７】
例えば、テレビジョン受信装置２００Ａのディスプレイ仕様が標準画質に対応するＳＤ（standard）仕様であれば、制御部２３は、光ディスク１２またはサーバ３００のコンテンツからＳＤ対応の映像信号を検索して、テレビジョン受信装置２００Ａに出力し映像表示に供させる。
【００２８】
また、テレビジョン受信装置２００Ｂのディスプレイ仕様が高画質に対応するＨＤ（high definition）仕様であれば、制御部２３は、光ディスク１２またはサーバ３００のコンテンツからＨＤ対応の映像信号を検索して、テレビジョン受信装置２００Ｂに出力し映像表示に供させる。
【００２９】
この場合、ユーザが視聴を要求した同じコンテンツに対して、ＳＤ対応の映像信号とＨＤ対応の映像信号とが、光ディスク１２またはサーバ３００に予め用意されていることを想定している。
【００３０】
ここで、上記ＨＤＭＩ送受信部２０には、外部機器が接続されたときに、相互認証を行なうための相互認証部２０ｂが設けられている。この相互認証部２０ｂによる動作は、接続された外部機器が所定の条件を満足するかどうかを確認するものであり、条件を満足したときのみ、データの相互授受、コンテンツの受け取りまたは送出が可能となる。
【００３１】
さらに、このＨＤＭＩ送受信部２０には、接続された外部機器に対して出力すべきＣＥＣによる機器制御情報を生成したり、接続された外部機器から供給される機器制御信号を解析したりするためのＣＥＣ制御部２０ａを備える。相互認証部２０ｂで認証のとれた外部機器に対して、機器制御信号による相互制御が可能となる。
【００３２】
一方、制御部２３は、位置情報処理部２３ａ，再生開始制御部２３ｂ、切り替え部２３ｃ、追っかけ再生処理部２３ｄを含んでいる。このうち、位置情報処理部２３ａは、光ディスク１２の再生動作中に、外部機器から再生停止を要求する機器制御信号が供給されたときに、再生が停止された位置を示す位置情報を取得して記憶するものである。
【００３３】
この位置情報は、位置情報処理部２３ａが保持してもよく、また、光ディスク１２から読み取ったデータを処理する処理部（信号処理部１８）に保持してもよい。さらには、光ディスク１２のレジウム情報記録機能を利用してもよい。つまり、光ディスク１２の特定の管理情報位置にレジウム情報として記録してもよい。
【００３４】
また、再生開始制御部２３ｂは、再生停止を要求した外部機器から、再生開始を要求する機器制御信号が供給されたときに、記憶しておいた位置情報を利用して、先に再生が停止された位置から光ディスク１２の再生を開始するように制御を行なうものである。
【００３５】
さらに、上記記録再生装置１００は、次のような機能を備える。例えば、テレビジョン受信装置２００Ａが取り外され、別のテレビジョン受信装置２００Ｂが接続された場合には、その能力に応じた信号処理を行なう。今、テレビジョン受信装置２００Ａに代えてテレビジョン受信装置２００Ｂが接続されたとする。すると、再生開始制御部２３ｂは、テレビジョン受信装置２００Ｂに適合するコンテンツ（例えばＨＤ対応のテレビジョン信号）を光ディスク１２から再生する。
【００３６】
また、光ディスク１２に標準の映像信号しか記録されていない場合には、スタンダードテレビジョン信号の走査線数などを変換し、補間信号を作り、基の信号を変換して出力する切り替え部２３ｃを有する。このために、信号処理部１８内には、走査線変換部１８ａが設けられている。
【００３７】
上記した実施の形態では、その主要な制御を行なう構成が記録再生装置１００の内部に設けられている。しかしながら、主要制御を行なう構成は、単独で構成してもよいし、テレビジョン受信装置内に設けられていてもよい。
【００３８】
図６は、主要制御を行なう構成が搭載されたテレビジョン受信装置２００Ｃの例を示している。この場合、テレビジョン受信装置２００Ｃを、ディスプレイ部２１０とメイン基板２１１とに分けて示している。メイン基板２１１上には、複数の接続部を含むセレクタ２１２が設けられ、複数の外部機器を接続することができる。
【００３９】
この例では、再生装置１１０Ａ、ＳＴＢ（set top box）１１０Ｃ、記録再生装置１１０Ｂの３つの外部機器が接続されている。また、アンテナも接続されている。セレクタ２１２は、アンテナ及び複数の外部接続機器を選択的に切り替えて、ＨＤＭＩ送受信部２０に接続することがきる。ＨＤＭＩ送受信部２０を介して取り込まれた信号は、テレビジョン信号処理部２１３にて処理され、ディスプレイ部２１０に供給される。このテレビジョン受信装置２００Ｃ内にも制御部２３が設けられ、装置を全体的に統括している。
【００４０】
上記ＨＤＭＩ送受信部２０内にも、先の図５の場合と同様に、ＣＥＣ制御部２０ａ及び相互認証部２０ｂが設けられている。また、上記制御部２３内にも、位置情報処理部２３ａ、再生開始制御部２３ｂ、切り替え部２３ｃ及び追っかけ再生処理部２３ｄが設けられている。
【００４１】
上記したテレビジョン受信装置２００Ｃにおいても、記録媒体から再生された信号を処理する処理部と複数の接続部とを有している。そして、複数の接続部に接続された各外部機器との間で機器制御信号による相互制御を行なうためのＣＥＣ制御部２０ａと、接続部に外部機器が接続されたとき相互認証を行う相互認証部２０ｂとを有する。
【００４２】
そして、例えば、テレビジョン受信装置２００Ｃが、再生装置１１０Ａからの信号を入力して再生している状態で、入力をＳＴＢ１１０Ｃに切り替えたとする。この場合、テレビジョン受信装置２００Ｃは、再生装置１１０Ａに対して再生停止を要求する機器制御信号を出力し、ＳＴＢ１１０Ｃに対して再生開始を要求する機器制御信号を出力する。
【００４３】
これにより、再生装置１１０Ａでは、再生停止を要求する機器制御信号に基づいて再生を停止する。このとき、その再生が停止された位置を示す位置情報が、位置情報処理部２３ａに記憶される。
【００４４】
一方、ＳＴＢ１１０Ｃでは、再生開始を要求する機器制御信号に基づいて再生を開始する。そして、テレビジョン受信装置２００Ｃでは、ＳＴＢ１１０Ｃから出力される信号を入力し再生する。
【００４５】
このような状態で、再度、テレビジョン受信装置２００Ｃが、入力を再生装置１１０Ａに切り替えたとする。この場合、テレビジョン受信装置２００Ｃは、ＳＴＢ１１０Ｃに対して再生停止を要求する機器制御信号を出力し、再生装置１１０Ａに対して再生開始を要求する機器制御信号を出力する。
【００４６】
これにより、ＳＴＢ１１０Ｃでは、再生停止を要求する機器制御信号に基づいて再生を停止する。一方、再生装置１１０Ａでは、再生開始を要求する機器制御信号に基づいて、先に位置情報処理部２３ａに記憶しておいた位置情報を用いて、先に再生が停止された位置から再生を開始するように制御される。
【００４７】
ここで、今、例えば記録再生装置１１０Ｂには、デジタルチューナからのストリームを取り込んでいるものとする。そして、テレビジョン受信装置２００Ｃでは、記録再生装置１１０Ｂを介して取り込んだ信号が処理されて、ディスプレイ部２１０に表示されているものとする。また、このとき、記録再生装置１１０Ｂで記録が行なわれていてもよい。
【００４８】
このような状態で、セレクタ２１２が制御されて、一時的に入力が再生装置１１０Ａに切り替わるものとする。すると、記録再生装置１１０Ｂは、今までの番組の記録を開始する（すでに記録が行われていたときは記録が継続される）。そして、記録を開始した媒体位置の位置情報が位置情報処理部２３ａにて認識されその情報が保持される。すでに記録が行なわれていたときは、記録が継続されるときの位置情報が保存される。
【００４９】
次に、再生装置１１０Ａに代えて、入力が記録再生装置１１０Ｂに切り替えられると、先ほど保存されていた位置情報が利用される。そして、記録再生装置１１０Ｂは、先に入力が切り替えられた直後に記録した情報の再生状態に制御される。このとき、上記追っかけ再生処理部２３ｄにより、記録再生装置１１０Ｂは、追っかけ再生状態に制御され、受信情報を相変わらず記録し続ける。
【００５０】
追っかけ再生状態においても、操作により、スキップ再生モードあるいは早送り再生モードに記録再生装置１１０Ｂを制御することができる。すると、以前に記録していた情報が高速で再生され、現在記録中の情報に追いつくことになる。
【００５１】
このとき、記録再生装置１１０Ｂは、記録を停止し、受信装置２００Ｃは、記録再生装置１１０Ｂを介して取り込んでいたデジタルチューナからのストリームを直接取り込んで再生する。ただし、記録再生装置１１０Ｂが記録モードに操作されているときは、この記録再生装置１１０Ｂは相変わらず記録を続けることになる。
【００５２】
なお、位置情報は、記録再生装置１１０Ｂのものだけに限らず、再生装置１１０Ａの再生が中断されたときも、その中断位置情報を保存するようにしてもよい。
【００５３】
図７は、上記した実施の形態の主要な部分の動作を示すフローチャートである。ＣＥＣを通して再生指示が外部機器に発せられると（ステップＳＡ１）、位置情報が保持されているか否かの判定が行なわれる（ステップＳＡ２）。
【００５４】
そして、位置情報が保存されていない場合には、記録媒体の先頭から再生を開始し（ステップＳＡ３）、位置情報が保存されている場合には、先に説明したように、位置情報に基づき再生が中断された位置からの再生が開始される（ステップＳＡ４）。
【００５５】
再生状態になると、ＣＥＣを通して再生停止指示が外部機器に発せられたか否かのチェック状態になる（ステップＳＡ５、ＳＡ６）。再生停止指示が外部機器に発せられると現時点の再生位置を中断情報（位置情報）として保持する（ステップＳＡ７）。
【００５６】
図８は、上記した実施の形態のさらに主要な部分の動作を示すフローチャートである。ＣＥＣを通して再生指示が外部機器に発せられると（ステップＳＢ１）、位置情報が保持されているか否かの判定が行われる（ステップＳＢ２）。
【００５７】
そして、位置情報が保存されていない場合には、入力ストリームの再生を開始し（ステップＳＢ３）、位置情報が保存されている場合には、先に説明したように、位置情報に基づき再生が中断された位置からの再生が開始される（ステップＳＢ４）。
【００５８】
再生中（ステップＳＢ５）に、ＣＥＣを通して再生停止指示が外部機器に発せられると（ステップＳＢ６）、外部機器が記録中であるか否かの判定が行なれ（ステップＳＢ７）、記録中でないときは記録が開始され（ステップＳＢ８）、記録中であるときは継続して記録が行なわれる。
【００５９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６０】
【図１】この発明の実施の形態を示すもので、記録再生装置を中心とした接続形態を説明するために示すブロック構成図。
【図２】同実施の形態における記録再生装置を中心とした接続形態の他の例を説明するために示すブロック構成図。
【図３】同実施の形態における機器接続に使用されるＨＤＭＩケーブルのコネクタ部分を説明するために示す外観図。
【図４】同実施の形態におけるＨＤＭＩコネクタに備えられた各ピンの機能を説明するために示す図。
【図５】同実施の形態における記録再生装置の信号処理系の一例を説明するために示すブロック構成図。
【図６】同実施の形態における記録再生装置に接続されたテレビジョン受信装置の信号処理系の一例を説明するために示すブロック構成図。
【図７】同実施の形態における主要な部分の処理動作の一例を説明するために示すフローチャート。
【図８】同実施の形態における主要な部分の処理動作の他の例を説明するために示すフローチャート。
【符号の説明】
【００６１】
１２…光ディスク、１４…ネットワーク、１６…ディスクドライブ部、１７…デコーダ部、１８…信号処理部、１９…ＯＳＤ信号付加部、２０…ＨＤＭＩ送受信部、２０ａ…ＣＥＣ制御部、２０ｂ…相互認証部、２３…制御部、２３ａ…位置情報処理部，２３ｂ…再生開始制御部、２３ｃ…切り替え部、２３ｄ…追っかけ再生処理部、２４…操作部、２５…リモートコントローラ、２６…受信部、２７…メモリ部、２８…インターフェース部、２９…接続端子、３０…入出力端子、１００…記録再生装置、１０１，１０２…接続部、１００Ａ…ドライブ部、１１０Ａ…再生装置、１１０Ｂ…記録再生装置、１１０Ｃ…ＳＴＢ、２００Ａ〜２００Ｃ…テレビジョン受信装置、２１０…ディスプレイ部、２１１…メイン基板、２１２…セレクタ、２１３…テレビジョン信号処理部、３００…サーバ、４００…ＨＤＭＩケーブル、４０１…コネクタ。
【図１】
2008077812.tif 000003
【図２】
2008077812.tif 000004
【図３】
2008077812.tif 000005
【図４】
2008077812.tif 000006
【図５】
2008077812.tif 000007
【図６】
2008077812.tif 000008
【図７】
2008077812.tif 000009
【図８】
2008077812.tif 000010